(57)【要約】      （修正有）【課題】使い捨てタイプのバッグインボックスワインの外装箱に代わって、再利用でき且つ操作性の良い液体包装袋用ワイン容器を提供する。また容器の内部に、液体包装袋中のワインの残留防止と酸化防止の機能を提供する。【解決手段】液体包装袋用ワイン容器において、注ぎ口を固定するための穴３ａを容器の低位置に設け、該穴３ａより高い位置を境に上下に二分割して蓋と本体を作り、更に注ぎ口近傍において、本体の上側から凹状に該穴３ａを上下に二分割するように切り取り、切り取った部分に扉１０ａを設けたことを特徴とする容器１を作成する。更に容器１の内部に、ワインの量の減少に応じて傾斜角度を高める可変傾斜板１３を設置する。もしくは該穴１０ａとの間に所定の間隔を有する凹溝を設け、該穴の高さより高い位置に液体包装袋を支持する上面を有する隆起台を設置する。【選択図】          図１
2007091334.tif 000002
【特許請求の範囲】
【請求項１】
ワインが入った、注ぎ口を有する液体包装袋を装填した液体包装袋用ワイン容器において、注ぎ口を固定する穴を上記液体包装袋用ワイン容器の低位置に設け、該穴より高い位置を境に上下に二分割して蓋と本体を作り、更に注ぎ口近傍において、上記本体の上側から凹状に該穴を上下に二分割するように切り取り、切り取った部分に扉を設けたことを特徴とする液体包装袋用ワイン容器。
【請求項２】
上記液体包装袋用ワイン容器内に、上記液体包装袋を支持し、ワインの量の減少に応じて傾斜角度を高める可変傾斜板を取り付けたことを特徴とする請求項１記載の液体包装袋用ワイン容器。
【請求項３】
上記液体包装袋用ワイン容器内に、上記注ぎ口固定用の穴との間に所定の間隔を有する凹溝を設け、該穴の高さより高い位置に上記液体包装袋を支持する上面を有する隆起台を設けたことを特徴とする請求項１記載の液体包装袋用ワイン容器。
【請求項４】
上記液体包装袋支持が上記請求項２または３いずれか１項記載のワイン入り液体包装袋用外装箱または容器。
【請求項５】
上記液体包装袋中の液体が酒類である請求項１から４のいずれか１項記載の液体包装袋用外装箱または容器。
【発明の詳細な説明】
【技術分野】
【０００１】  本発明は、バッグインボックスワインの外装箱に代わる容器、即ちワインを入れた液体包装袋を収納するためのワイン容器に関するものである。
【背景技術】
【０００２】  ワインを充填した注ぎ口を有するプラスティック或いはアルミ製の液体包装袋（以下、液体包装袋、もしくは包装袋と呼ぶ）は、防水加工された厚紙の外装箱に梱包し、外装箱の一側面に穴をあけて袋の注ぎ口を箱の外に引き出して使う、バッグインボックスという形態が一般的である。バッグインボックスのワインは、ボトルのワインに比べて開栓後の酸化が少ないため、ワインを数週間にわたって飲むことも可能で、また梱包や輸送、デッドスペース等の面からもコストパフォーマンスが良く、コストを抑えた日常ワインとして、欧米諸国やオーストラリアを中心にワイン市場に広まっていった。日本でもここ数年店頭で見られるようになってきており、今後もバッグインボックスの市場はますます伸びる傾向にある。
しかし従来のバッグインボックスは、そのまま外装箱を傾けずに液体を注ぎ続けた場合、量の減少に伴って徐々に流出速度が遅くなると共に最後に液体が出なくなった時点での残液量が多いという欠点がある。この欠点を補うため幾つかの発明がなされている。例えば、特開２００４−１８０７９「バッグインボックス」による内装袋と外装箱とを融合させた構造の発明に関するものや、特開２００２−１０４４３１「バッグインボックス用袋体およびバッグインボックス」や特開２０００−２８１１３３「バッグインボックス型液体容器」による業務用または容量の大きい液体包装袋を主な対象にした発明に関するもの等がある。【０００３】  しかしながらバッグインボックスに関するこれらの発明は、飲料水や薬品等、広範囲にわたる液体を対象にしており、特に酒類を優先したものではない。液体の中でも、酒類、特にワインにおいては、機能だけでなく容器の外観も重要な要素となっている。最近ではイメージを重視した卓上サイズの化粧樽に入ったワインもパーティーや贈答用として市販されている。しかしこのタイプの化粧樽はワインが直接ワイン樽に入っており、バッグインボックスの液体包装袋を収納するようには構成されていない。
【発明の開示】
【発明が解決しようとする課題】
【０００４】  本発明は、ワインを入れた液体包装袋を収納する容器として、特に良質のワインを対象としてみた場合、従来のバッグインボックスでは、外観、利便性、効率性の上で下記のような課題がある。
１．バッグインボックスワインの外装箱にはダンボール紙が使われていて、素材と形状的に高級感に乏しく、一般的に安いワインというイメージを作り出している。また、厚手のダンボール紙の場合、箱の中から注ぎ口を最初に取り出して固定する作業が容易ではなく、また薄手のダンボール紙の場合では、注ぎ口周辺が型崩れを起こし易いという欠点がある。
２．バッグインボックスワインの外装箱は、用後は再利用せず廃棄するのみである。しかしながら外装箱にはワインを注ぐ容器としての機能を備えており防水加工や頑丈な糊付けなどが施されているため、現状のリサイクル分別では禁忌品扱いとなり古紙としてリサイクルができない。
３．バッグインボックスワインの場合、包装袋の出し入れは考慮されていないため、ワインを冷蔵庫で冷やす場合は箱ごと冷やす必要があり、包装袋のワインの残量に関わらず、常に箱の大きさを冷蔵庫に確保しなければならない。
４．バッグインボックスの包装袋の中のワインがまだグラス数杯分以上残っているにも関わらず、水頭圧が下がりワインの出が悪くなるため、注ぐ際に箱を傾ける必要があるが、片手にワイングラスを持ちながら、もう片手で注ぎ口からワインを注ぎつつ且つ箱を傾けるのは困難である。
５．包装袋はワインの品質を長時間保持できる構造であるが、バッグインボックスの箱の底面積が比較的広いものでは、水頭圧が下がるとワインを注ぐ際に注ぎ口から空気が逆流して包装袋に入り易くなる場合があり、ワインの酸化が始まり易くなる。空気の逆流によって酸化を受けるワインの残量は、容器の形状や包装袋のフィルムの形状によって異なり、また注ぎ方によっても状況が変わってくるため格差があるが、箱のデザインによっては４分の１以上が酸化してしまうものもあり、液体包装袋の機能が充分満たされていない場合がある。
【課題を解決するための手段】
【０００５】  請求項１に記載の発明は、ワインが入った、注ぎ口を有する液体包装袋を装填した液体包装袋用ワイン容器において、注ぎ口を固定する穴を上記液体包装袋用ワイン容器の低位置に設け、該穴より高い位置を境に上下に二分割して蓋と本体を作り、更に注ぎ口近傍において、上記本体の上側から凹状に該穴を上下に二分割するように切り取り、切り取った部分に扉を設けたことを特徴とする。本項の発明により、上記１から３の課題が解決される。【０００６】  請求項２に記載の発明は、上記の液体包装袋用ワイン容器内に、上記液体包装袋を支持し、ワインの量の減少に応じて傾斜角度を高める可変傾斜板を取り付けたことを特徴とする。本項の発明により、上記の課題４及び５が解決される。【０００７】  請求項３に記載の発明においては、請求項２記載の可変傾斜板と同じ目的ではあるが別の手段として、上記液体包装袋用ワイン容器内に、上記注ぎ口固定用の穴との間に所定の間隔を有する凹溝を設け、該穴の高さより高い位置に上記液体包装袋を支持する上面を有する隆起台を設けたことを特徴とする。本項の発明により、請求項２の発明と同じく上記の課題４及び５が解決される。【０００８】  請求項４に記載の発明においては、ワイン入り液体包装袋用の外装箱または容器内に、上記請求項２，３いずれか１項に記載の可変傾斜板または隆起台を有したことを特徴とする。【０００９】  請求項５に記載の発明においては、上記液体包装袋中の液体が酒類である請求項１から４のいずれか１項記載の液体包装袋用外装箱または容器であることを特徴とする。
【発明の効果】
【００１０】  請求項１の発明における液体包装袋用ワイン容器（以下、ワイン容器と呼ぶ）は、開閉可能な上蓋と注ぎ口用扉を設けたことで、包装袋の詰め替えがし易くなり、注ぎ口も簡単に注ぎ口固定用穴にセットできるようになり、注ぎ口周辺の型崩れを無くし、容器も再利用ができるようになる。またワインを冷蔵庫で冷やす場合、包装袋のみを取り出して入れることができ、冷蔵庫の隙間に入り易く収納スペースが利用し易くなる。本ワイン容器は容易に開閉できるため包装袋と一緒に保冷材を入れることも可能で、場所を問わず適度に冷えたワインが飲める。また、本ワイン容器の形状は任意で自由にデザインし良いため、容器の外観からワインをイメージし易い形状、たとえばワイン樽のような形状にすることで、包装袋に入ったワインに対する違和感を和らげる効果が期待でき、また高級感も生まれ、店頭やレストラン等のカウンターでのディスプレイ効果が期待できる。【００１１】  また請求項２〜４の発明においては、可変傾斜板または隆起台をワイン容器内に取り付けることにより、包装袋中のワインが少量になっても容器を傾けずにワインを注ぐことができ、同時に包装袋内の残液量も減る。また容器の底面積が広い場合でも、空気の逆流を防いで酸化されるワインの量を極力抑えることができるため、最後まで新鮮なワインが味わえる。よって底面積の広い容器のデザインも可能となり、デザイン性に幅が出てくる。【００１２】  また請求項５の発明においては、本ワイン容器の自由なデザイン性を活かして、ワインに留まらず、日本酒、焼酎などの他の酒に関しても同様に、液体包装袋入りの新しい容器でのお酒が提供できる。
【発明を実施するための最良の形態】
【００１３】  液体包装袋を収納する容器として、卓上サイズの横置きもしくは縦置きのワイン樽を設ける。樽容器のサイズは包装袋の大きさによるが、保冷材のためのスペースを併せて配慮する。材質は木を用いるのが望ましいが、プラスティック等に木の材質感を持たせたものでも利用できる。横置きの樽の場合はスタンドを併せて作成する。
樽容器には注ぎ口固定用の穴を容器の低位置に設ける。穴は包装袋に付いている注ぎ口の固定部分の径より若干大きめにし、簡単に取り外しできるようにする。次に樽容器を蓋と本体に分ける。柔らかくて自立性のない包装袋を容器本体内に装填しやすくするには、容器本体に包装袋の高さを考慮した深さが必要なため、蓋と本体の分割境界線を樽の半分より高い位置に設定し、この境界線をもって、樽容器を上下に二分割する。分割した上下は、上の部分を蓋に、下の部分を本体にして、上蓋と本体によって開閉ができるような構造にする。【００１４】  更に、包装袋の装填や取り替えの際に、包装袋の注ぎ口を容器の該穴に簡単に出し入れすることができ、且つ注ぎ口周辺の型崩れも起こらないようにするため、上記本体部分の該穴面を凹状に切込んで扉を作る。切り込みは、容器の該穴幅より広い幅で本体部分の二分割境界線から下方向へ該穴を上下に二分割するように凹状に切込む。そして切り取った部分は、開閉ができるように扉にする。尚、扉の形式については、切り取った板をスライド式で差し込む方法や板の上の方を留めて前後に開閉できるようにする縦開きの方法等がある。容器の素材が厚紙で箱型の場合はスライド式が適しているが、他は容器の素材や意匠に応じて用いるのが望ましい。【００１５】  尚、本項におけるワイン容器は任意で、ワイン樽の形に限定するものではなく、円柱形や多角形等の他の形状の容器でも良い。また容器の材質においても、合成木、金属やプラスティック等の単体の材質だけでなく、ガラスとシリコンの組み合わせ、あるいは厚手の紙に布張りしたもの等、用途や価格に合わせて様々な容器が考えられる。【００１６】  可変傾斜板においては、まず包装袋を支持するための板（以下、上面板と呼ぶ）と、上面板をワイン容器に固定するための板（以下、固定板と呼ぶ）を設ける。上面板の形状はワイン容器内部での傾斜角可変領域の形状に応じて形成し、固定板については容器内での固定位置の形状に合わせて形成する。横置きの樽形の容器に可変傾斜板を設置した場合の例を図１６に示す。可変傾斜板の角度設定については、可変傾斜板に包装袋が乗っていない、即ち負荷の掛かっていない状態での上面板の固定板からの角度を６０度前後から９０度以内にし、一方、可変傾斜板に最大負荷が掛かっている状態においては上面板の固定板からの角度を０度から２０度前後とするのが望ましい。可変傾斜板に使用する板については、負荷に耐えられる硬い素材の板、例えば木板、金属板、プラスチック板等を使用する。【００１７】  尚、容器の形状によっては、上面板が可変できる角度が制限され、これらの角度を満たし難い場合がある。
その制限を緩和する方法として、本発明の可変傾斜板では次の２つの対処法を挙げる。
１．  上面板をくの字状に屈折させた構造にする。上面板をくの字状に屈折した例を図９に示す。上面板を屈折した構造にすることで、上面板が容器内の天井部に触れる場所をより傾斜角度の高い位置にすることができる。上面板の作成においては、上面板の素材が金属板や硬プラスチック板等の場合は予め所定の角度に屈折させて加工又は作成できるが、木板等のように屈折が難しい場合は、上面板を屈折部分で二分割し、その分割した２枚の板を所定の角度を有する連結用資材を用いて繋ぎ合わせて作成する。
２．  上面板を支点部と先端部の板に分け、両端にレールを付け、上面板の角度が上がると先端部の板がスライドして上面板全体の長さが収縮する構造にする。収縮する上面板を図１０に示す。本上面板は充填した包装袋が乗っている場合は上面板の角度が低く袋も重いので先端部の板は動きにくいが、液体が減ってくると、上面板の角度が上がり液体が注ぎ口の方へ集まるので先端部で支持する袋も軽くなり、それに伴って先端部の板が重みでスライドする仕組みである。先端部の板がスライドして上面板全体が縮めば上面板が容器内の天井部に触れずに傾斜できるので、上記角度の制限を取り除くことができる。【００１８】  上面板と固定板用に設けた２枚の板については、図１２又は図１３に示すように、注ぎ口側を支点とするように注ぎ口側の辺沿いをばねで結合する。ばねはねじりばね（図１５参照）を用い、アーム長はなるべく長い方が望ましい。尚、ねじりばねのアームの角度（巻角度）と使用角度（許容ねじり角度）は、可変傾斜板の動作条件に合わせる。更に可変傾斜板がねじりばねのコイルの部分と接する箇所には、図１４に示すように、上面板と固定板にそれぞれ浅く窪みを作り、コイルの位置が可変傾斜板の動きでずれないようにする。また、特にねじりばねのアーム部分を固定する際には、必要に応じて薄い金属板等をアームの上から覆う等の補強を施し、しっかり可変傾斜板に固定する。取り付けるねじりばねの数は、上面板の大きさや重さ、ワインにより掛かる負荷、ばねの形状や強度等によっても違うが、２個ないし３個が好ましい。【００１９】  次に、可変傾斜板の先端部分に、先端の幅に沿ってクリップを取り付け、包装袋の一箇所をクリップで固定し、可変傾斜板が起き上ってもワインの重みで包装袋が下がらないようにする。但し、上記のレール付きでスライドする可変傾斜板の場合にはクリップは取り付けない。【００２０】  作成した可変傾斜板は、ばねの付いた方を容器の注ぎ口固定用の穴側にして、可変傾斜板の固定板を容器内の底辺部に固定する。【００２１】  隆起台においては、常にワインが注ぎ口へ集まるようにすることにより、少量になったワインを、容器を傾けることなく、空気の逆流も防ぎながら注ぐことができるようにするものである。通常、ワイン用の包装袋は２枚の四角形フィルムを重合し、その周囲を溶着し、更に片方のフィルムの下辺部に注ぎ口固定用の穴をあけてプラスチック製の注ぎ口を溶着しており、注ぎ口の方へワインを誘導するロート状の形状（以下、ワイン流出通路と呼ぶ）は包装袋についていない。よって代わりに凹溝を有する隆起台をもってワイン流出通路となる形状を形成できるようにし、常にワインが注ぎ口へ誘導されるようにする。
隆起台を作成するに当たっては、木、厚紙、スチール、プラスチックや発泡スチロール等、包装袋の台になり得る素材を用いる。素材によっては隆起台を立体状に形成する場合と板で隆起台の上面のみを形成する場合がある。何れの場合も、隆起台側面の形状は容器内の設置部分の形状に合わせる。隆起台は凹溝が注ぎ口側にくるように容器内の底辺部に設置する。【００２２】  立体状の隆起台を作成する場合は、隆起台上面の注ぎ口側の高さが容器の該穴よりやや高い位置に来るように設定し、且つ上面の注ぎ口側が一番低くなるようにゆるやかな傾斜をつけ、注ぎ口と隆起台との間に所定の大きさの凹溝を作り、凹溝に沿って包装袋の注ぎ口を引き出してワイン容器の該穴に固定することでワイン流出通路となる形状を作り出し、ワインが注ぎ口に流れるようにする。凹溝は隆起台の注ぎ口側の側面を上面から縦方向に切り抜き、溝の大きさは包装袋の注ぎ口を引き出したり収納したりできる大きさにし、形状は柱状またはロート状とする。溝の長さは固定した注ぎ口全体が溝の中に位置するような長さとし、溝の低端が該穴より下になるようにする、もしくは隆起台の上面から底面までを切り抜く。【００２３】  板で作成する場合の隆起台は、上記立体状の隆起台の上面のみを残して、上面を立脚等で支えたような構造にする。よって板の場合も、隆起台上面の注ぎ口側が容器の該穴よりやや高い位置に来るようにし、上面の注ぎ口側が一番低くなるようにゆるやかな傾斜をつけ、立脚等で支えて固定できるようにする。更に板の注ぎ口側には、上記立体状の隆起台の上面と同じ凹状の切り込みを入れて、切り込んだ部分から包装袋の注ぎ口を引き出して容器の該穴に固定し、包装袋にワイン流出通路となる形状を作り出す。
【実施例１】
【００２４】  以下、図面に沿って、本発明の実施例について説明するが、本発明の主旨を超えない限り、これらに限定されるものではない。【００２５】  横置きの樽型の容器を作成する例を示す。本実施例は特に記述がない限り木製の容器を前提とする。まずワイン３リットル入りの包装袋用の容器として、胴回りが内部最大直径２０ｃｍ、最小直径１８ｃｍ、長さ２２ｃｍの樽容器１を作成する。横に置いた樽を安定させるためにスタンドも用意する。次に図２に示すように、樽容器１の正面の円形部分において、包装袋の注ぎ口を固定するための穴３ａの最下部が下から３ｃｍの高さにくるように、穴３ａの位置を設定する。また穴３ａの直径は包装袋の注ぎ口の固定部分の直径よりも若干（約２ミリ程）大きめに作る。次に樽容器１を二つに分割するための境界線５ａを、樽の高さ４分の３の位置に設定し、樽容器１を二つに分割する。そして、正面右側の側面に開閉のための金具８ａを付け、また、図３に示すように、背面右側の側面に蝶番９ａを取り付ける。次に、図４の点線４ａに示すように、境界線５ａから注ぎ口固定用の穴３ａを中心で二分割するような凹状の切り込みを入れ、１０ａを作り切り離す。凹状の幅は注ぎ口固定用の穴３ａの両端より各１ｃｍづつ幅広に設定する。図５は、境界線５ａと切り込み線４ａによって上蓋と本体部分に分かれた正面の図を示している。【００２６】  容器の該穴面を凹状に切込んだ部分１０ａを開閉できる扉にする２つの実施例を図６及び図７に示す。
図６においては、容器の該穴面を凹状に切込んだ部分を前後に開閉する縦開き式注ぎ口用扉６の作成例を示す。図６で示すように、長さ数センチで直径約２ｍｍの金属製の丸棒１１−１と１１−２を凹状に切り取った板１０ａと正面本体部分２の境界線５ａ沿いに取り付ける。丸棒１１−１と１１−２は、それぞれ約半分の長さを板１０ａの最上部から約５ｍｍ位の位置に打ち込み、本体部分２には１０ａに打ち込んだ丸棒の残り半分が収まるように境界線５ａの上部から溝を掘る。掘った溝に板１０ａの１１−１と１１−２部分を上から挿入してセットし、板１０ａが丸棒を支点にして前後に動くようにする。また、扉となった板１０ａの内側には高さ半分より下方の位置に、液体を充填した包装袋を装填する際に内側からの圧力で板１０ａが開かないように、ストッパーを容器の内側に取り付ける。例えば、長さ数センチ程の薄くて細長い金属片の片方を、金属片の半分が本体部分２に届くように、小さなねじ又は釘で板１０ａの内側の所定の位置に固定し且つ固定部分を支点として回転できるようにする。本体部分２の内側には、板１０ａに取り付けた金属片を受け止めるためのＬ字状の金具を上向きに固定する。【００２７】  図７においては、容器の該穴面を凹状に切込んだ部分を縦にスライド式に差し込んで開閉できる扉７を作成する例を示す。図７で示すように、凹状に切り取った板１０ａの両辺に凸状の形状１７を付ける。本例ではこの凸状１７は厚さ１ｍｍ、幅１０ｍｍ、長さが板１０ａの縦の長さに等しい金属板を、板１０ａの両辺に幅５ｍｍ埋め込んで作成する。一方、本体部分２には、板１０ａに形成した凸状１７を受ける凹状の溝を設ける。凹状の溝は凸状１７と同じ長さで両辺の縦方向に、凸状１７が滑らかに動くような大きさの幅と深さで作成する。板１０ａの凸状１７を、本体部分２に設けた凹状の溝に上から差し込み、縦にスライドさせて開閉する扉７とする。【００２８】  図８は、縦開き式注ぎ口用扉６を取り付けた場合の横置きの樽容器１の外観を示している。【００２９】  次に樽容器１に装着するための可変傾斜板の実施例を２例、図９から図１８で説明する。
まず、くの字状に屈折した構造の上面板を有する可変傾斜板の例について説明する。本可変傾斜板は、図１２に示すように、上面板１４と固定板１８及びばね２１で構成される。本例では上面板を緩く屈折させて作成する。まず図９に示すような、底辺１２ｃｍ、高さ７ｃｍ、上辺８ｃｍの台形型の板１４ａと、幅１２ｃｍ、長さ１３ｃｍの長方形の板１４ｂを用意する。板１４ｂは図９に示すように両角を切り落とす。そして板１４ａと板１４ｂを繋ぎの部分で１５度屈折させて１４ｃを１６５度にして繋げ、これを上面板１４とする。屈折部の接続は、予め１６５度に屈折した金属板、厚さ１ｍｍ、幅６ｃｍ、長さ１０ｃｍ、を連結資材として用い、上面板１４の上面に連結資材を付けて２枚の板を繋ぐ。
固定板１８は、幅を８ｃｍ、長さを約２１ｃｍの長方形にする。次に、図１２に示すように、上面板１４及び固定板１８の両端から内側に、ばね２１を１個ずつ取り付けて２枚の板を結合する。図１３は、ばね２１を取り付けた部分２０を拡大した図である。そして図１４に示すように、上面板１４と固定板１８の、ばね２１のコイルが接触する部分に浅い窪みをつけて、ばね２１を取り付け、アームの部分には補強のための薄い金属板２２，２３を覆い、ねじ又はボルト等で留めてアームを固定させる。【００３０】    また、図１２に示すように、可変傾斜板の上面板１４ｂの先端にはクリップ１９を取り付け、包装袋の一箇所を固定できるようにする。図１６は出来上がった可変傾斜板１３を樽容器１に装着した状態を示している。【００３１】  図１７は、可変傾斜板を装着した樽容器１に、ワイン３０が充填された包装袋２８を入れた状態を示している。ワイン３０の重みで上面板１４が下がっているが、図１８に示すように、包装袋２８内のワイン３０の量が少なくなり軽くなると、ばね２１の力で上面板１４が起き上がり、包装袋２８の中のワイン３０が注ぎ口２９の方へ集まる。【００３２】  次に、レールを取り付けたスライド式の上面板を有する可変傾斜板の例について説明する。図１０に示すように、まず幅１２ｃｍで長さ１２ｃｍの支点部の板１５ａと、幅１０ｃｍで長さ１１ｃｍの先端部の板１５ｂを設ける。本例では上面板全体の長さを約２０ｃｍに設定する。よって支点部の板１５ａと、先端部の板１５ｂが約３ｃｍ程互いに重なり合うが、重なり合うことで２枚の板が荷重に耐え連結状態を維持できるのと、傾斜角が上がった時に若干ではあるが先端部の板１５ｂの滑り出しを助ける効果がある。
先端部の板１５ｂには図１１に示すような形状を有する厚さ約１ｍｍで長さ１１ｃｍの金属板１６ｂ−１と１６ｂ−２を両端に取り付ける。一方、支点部の板１５ａの両端には、図１１に示すような形状を有する厚さ約１ｍｍで長さ１０ｃｍの金属板１６ａ−１と１６ａ−２を取り付ける。これらの金属板は、金属板同士の接する面が滑りやすい材質のものか又は潤滑処理を施したものを使用するのが望ましい。金属板を取り付けた２枚の板は、支点部の板１５ａと先端部の板１５ｂとで、図１１に示すように組み合わせてスライド式の上面板１５を構成する。最後に、図１４の可変傾斜板と同じく、ばね２１で本上面板１５と固定板１８とを結合して、スライド式の上面板を有する可変傾斜板とする。
本スライド式上面板に取り付けるレールに関しては、スライドレールでも適用できる。【００３３】  本実施例１での可変傾斜板はねじりばねを用いたが、ねじりばね以外でも同等の機能を果たすものであれば良い。例えば、今日の技術をもってすれば、１枚の大きなばねの素材板を用いて、可変傾斜板の支点となる部分に角度や弾性を与えて可変傾斜板を作成したり、あるいは予め角度と弾性を与えた板状のばねに２枚の板を溶着して、連続した１枚の板として可変傾斜板を作成する等が考えられる。
【実施例２】
【００３４】  次に縦置きの樽の容器を作成する例を示す。本実施例は特に記述がない限り木製の容器を前提とする。図１９に示すように、縦置きの樽容器３１の場合も、横置きの樽容器１と同じく、底辺から３ｃｍのところに穴の最下部が位置するように注ぎ口固定用の穴３ｂを設け、樽の高さが約４分の３の高さの位置に境界線５ｂを設定し、上下二つに分割する。注ぎ口側を正面として、正面右側の側面に開閉のための金具８ｂを取り付け、図２０に示すように、正面左側の側面に蝶番９ｂを取り付ける。また、上記実施例１における樽容器１の場合と同じように、縦開き式注ぎ口用扉１０ｂを設ける。【００３５】  本実施例２では、可変傾斜板に代わって隆起台を用いる。以下、隆起台の構成を、図２１から図２６を用いて、縦置きの樽容器３１に隆起台を設ける場合を前提に示す。【００３６】  まず、図２１及び図２２は、発泡スチロールを用いて隆起台を作成する場合を表している。発泡スチロールのブロックで樽容器３１の底辺部の形に合った台を作り、図２１に示すように包装袋２８をワイン容器に装填した際に、注ぎ口側の隆起台上面の高さ３４を、注ぎ口溶着部外輪の最上点の高さ３５より若干高くなるように設定し、反対側の隆起台上面の高さ３７を、注ぎ口側の隆起台上面の高さ３４より２ｃｍ程高い緩やかな傾斜を持つ隆起台上面３３を作り、隆起台本体とする。更に、隆起台本体の注ぎ口側の側面に図２２に示すような凹溝３８を切り抜き、隆起台３２を完成する。本例での凹溝３８の大きさは、図２１における注ぎ口２９の溶着部３６の外輪の直径が５ｃｍの場合では、図２２における凹溝の深さ４０は５ｃｍ程、凹溝の幅３９は６ｃｍ程とする。本例の発泡スチロール製の隆起台３２を樽容器３１に設置した場合の内部の要部を図２３に示す。図２４の側面断面図は、隆起台３２を装着した樽容器３１に、ワイン３０が充填された包装袋２８を入れた状態を示している。【００３７】  同様に、木板を用いて隆起台を作成する例を図２５に示す。本例においても前述の発泡スチロールのブロックによる例と同じ寸法を用いる。まず、木板製隆起台の上面板４３を、図２２の隆起台上面３３に相当する形に作成する。次に木板製隆起台の上面板４３に傾斜を付けて支えるための立脚板４５−１及び４５−２を２枚同じサイズで作成する。立脚板は、完成時に木板製隆起台の上面板４３が発泡スチロール製隆起台３２の上面３３における高さと傾斜に等しくなるように角度を設定して形成する。次に２枚の立脚板を固定するための立脚板固定板４４を図２２の隆起台底面に相当する形に作成する。作成した木板製隆起台の上面板４３、２枚の立脚板４５−１，４５−２、立脚板固定板４４を、図２５のように組み立てて木板製の隆起台４２を完成する。図２６の側面断面図は、隆起台４２を装着した樽容器３１に、ワイン３０が充填された包装袋２８を入れた状態を示している。
【産業上の利用可能性】
【００３８】  本発明によるワイン容器は、容器を開閉可能にして包装袋の取り替えや出し入れをできるようにしただけでなく、注ぎ口の取り付けや取り外しが簡単にできるようにしており、利用者が容易に使えるようになっている。また保冷材と一緒に包装袋を収納すれば、場所を問わず適度に冷えたワインが楽しめるといった利便性もあり、パーティーやピクニック、あるいはレストランのハウスワイン用にも適した容器である。
更に、本発明は容器の形状に依存せず、ワインの残留防止や酸化防止を実現していることから、容器のデザインや材質の選択の幅が拡がり、ユーザ層や用途に合わせた容器のデザインが可能になる。またデザイン性に富んだ本容器は、ワインに留まらず、日本酒、焼酎など、ボトル酒に代わって、包装袋入りの酒類の商品化という新しい分野の参入も期待できる。
また、容器内に使用する液体包装袋は非常に薄いフィルムでできていて、用後の処理が簡単で廃棄しやすいので環境対応型パッケージといわれているが、その液体包装袋のみを取り替えて長期に利用できる本発明の容器は、更なる環境対応の促進に役立つものである。
【図面の簡単な説明】
【００３９】
【図１】横置きの樽容器の外観と可変傾斜板を装着した内部を示した前面斜視図である。
【図２】横置きの樽容器の外観を示した前面斜視図である。
【図３】横置きの樽容器の外観を示した背面斜視図である。
【図４】横置きの樽容器の正面の切り込み線を示した前面図である。
【図５】図４において、切り込み線に沿って上蓋と本体を切り離した状態を示した前面図である。
【図６】縦開き式注ぎ口用扉を示した前面斜視図である。
【図７】スライド式注ぎ口用房を示した前面斜視図である。
【図８】縦開き式注ぎ口用扉を有する樽容器の前面斜視図である。
【図９】くの字に屈折した構造の可変傾斜板の上面板を示した上面図と側面図である。
【図１０】スライド式の可変傾斜板の上面板を示した前面斜視図である。
【図１１】図１０の上面板の背面を拡大した図である。
【図１２】くの字型の可変傾斜板を示した前面斜視図である。
【図１３】図１２のばねの領域を拡大した前面斜視図である。
【図１４】図１３のばねを示した側面断面図である。
【図１５】ねじりばねを示した側面図である。
【図１６】可変傾斜板を装着した樽容器の蓋を開けた状態を示した前面斜視図である。
【図１７】可変傾斜板を装着した樽容器に、ワインが充填された包装袋を入れた状態を示した側面断面図である。
【図１８】図１７の包装袋のワインが少なくなってきた状態を示した側面断面図である。
【図１９】縦置きの樽容器の外観を示した前面斜視図である。
【図２０】縦置きの樽容器の外観を示した背面斜視図である。
【図２１】発砲スチロール製の隆起台に包装袋を載せた状態を示した前面拡大図である。
【図２２】発砲スチロール製の隆起台を示した前面斜視図である。
【図２３】図２２の隆起台を装着した樽容器の内部の要部を示した前面斜視図である。
【図２４】図２２の隆起台を装着した樽容器に、ワインが充填された包装袋を入れた状態を示した側面断面図である。
【図２５】木板製の隆起台を示した前面斜視図である。
【図２６】図２５の隆起台を装着した樽容器に、ワインが充填された包装袋を入れた状態を示した側面断面図である。
【符号の説明】
【００４０】            １                  横置きの樽容器
２                  正面の本体部分
３ａ，３ｂ          注ぎ口固定用の穴
４ａ，４ｂ          切り込み線
５ａ，５ｂ          境界線（分割した辺）
６                  縦開き式注ぎ口用扉
７                  スライド式注ぎ口用扉
８ａ，８ｂ          開閉のための金具
９ａ，９ｂ          蝶番
１０ａ，１０ｂ      扉板
１１−１，１１−２  丸棒
１２                スタンド
１３                可変傾斜板
１４                上面板
１４ａ              台形型の板
１４ｂ              長方形の板
１４ｃ              上面板の屈折角
１５                スライド式上面板
１５ａ              支点部の板
１５ｂ              先端部の板
１６ａ−１，１６ａ−２  金属板（レール部品）
１６ｂ−１，１６ｂ−２  金属板（レール部品）
１７                凸状の形状
１８                固定板
１９                クリップ
２０                ばね取り付け部分の拡大図
２１                ばね
２２，２３          補強板
２４                ねじりばね
２５                アームの長さ
２６                巻角度
２７                許容ねじり角度
２８                包装袋
２９                注ぎ口
３０                液体（ワイン）
３１                縦置きの樽容器
３２                立体状の隆起台
３３                隆起台上面
３４                注ぎ口側の上面の高さ
３５                注ぎ口溶着部外輪の最上点
３６                注ぎ口溶着部
３７                注ぎ口反対側の上面の高さ
３８                凹溝
３９                凹溝の幅
４０                凹溝の深さ
４１                ワイン流出通路
４２                木板製隆起台
４３                木板製隆起台の上面
４４                立脚板固定板
４５−１，４５−２  立脚板
【図１】
2007091334.tif 000003
【図２】
2007091334.tif 000004
【図３】
2007091334.tif 000005
【図４】
2007091334.tif 000006
【図５】
2007091334.tif 000007
【図６】
2007091334.tif 000008
【図７】
2007091334.tif 000009
【図８】
2007091334.tif 000010
【図９】
2007091334.tif 000011
【図１０】
2007091334.tif 000012
【図１１】
2007091334.tif 000013
【図１２】
2007091334.tif 000014
【図１３】
2007091334.tif 000015
【図１４】
2007091334.tif 000016
【図１５】
2007091334.tif 000017
【図１６】
2007091334.tif 000018
【図１７】
2007091334.tif 000019
【図１８】
2007091334.tif 000020
【図１９】
2007091334.tif 000021
【図２０】
2007091334.tif 000022
【図２１】
2007091334.tif 000023
【図２２】
2007091334.tif 000024
【図２３】
2007091334.tif 000025
【図２４】
2007091334.tif 000026
【図２５】
2007091334.tif 000027
【図２６】
2007091334.tif 000028